(57)【要約】【課題】保磁力の異なる磁気カードが混在して扱われる自動取引装置において、安価な構成で異なる保磁力に適した電流で情報の書込みを行う。【解決手段】ＩＣ読み書き部は、ＩＣチップの記憶領域の所定の領域に予め書き込まれた磁気ストライプの磁気保磁力に関する保磁力情報を読み取る。制御部は、読み取られた保磁力情報を判定する。磁気読み書き部は、制御部で判定された判定結果に応じた保持力用の書き込み電流にて磁気ストライプに所定の情報を書き込む。【選択図】図３
2020181460.tif 000002
【特許請求の範囲】
【請求項１】
磁気ストライプとＩＣチップを備えたカードを取り扱うカード取扱装置であって、
前記磁気ストライプの読み取りと書き込みを行う磁気読み書き部と、
前記ＩＣチップの読取りと書き込みを行うＩＣ読み書き部と、
前記磁気読み書き部と前記ＩＣ読み書き部の制御を行う制御部と、を有し、
前記ＩＣ読み書き部は、
前記ＩＣチップの記憶領域の所定の領域に予め書き込まれた前記磁気ストライプの磁気保磁力に関する保磁力情報を読取り、
前記制御部は、
読み取られた前記保磁力情報を判定し、
前記磁気読み書き部は、
前記制御部で判定された判定結果に応じた保持力用の書き込み電流にて前記磁気ストライプに所定の情報を書き込むことを特徴とするカード取扱装置。
【請求項２】
前記ＩＣ読み書き部は、
前記保磁力情報として、第１の磁気保磁力に関する第１の保磁力情報と、前記第１の磁気保磁力より低い第２の磁気保磁力に関する第２の保磁力情報を読み取り、
前記制御部は、
読取られた前記保磁力情報が、前記第１の保磁力情報か前記第２の保磁力情報かを判定し、
前記磁気読み書き部は、
前記制御部で判定された結果が前記第１の保磁力情報の場合には、第１の保持力用の書き込み電流にて前記磁気ストライプに前記所定の情報を書き込み、
前記制御部で判定された結果が前記第２の保磁力情報の場合には、前記第１の保持力用の書き込み電流より低い第２の保持力電流にて前記磁気ストライプに前記所定の情報を書き込むことを特徴とする請求項１に記載のカード取扱装置。
【請求項３】
前記制御部は、
読み取られた前記保磁力情報に基づいて、前記カードが対象外の保磁力の前記磁気ストライプを備えるカードかを判定し、
前記磁気読み書き部は、
前記制御部で対象外の保磁力の前記磁気ストライプを備えるカードと判定した場合には、前記磁気ストライプに前記所定の情報を書き込まないことを特徴とする請求項１ないし請求項２に記載のカード取扱装置。
【請求項４】
前記磁気読み書き部は、
前記磁気ストライプに書き込む前記所定の情報として、前記ＩＣチップの記憶領域に書き込まれた情報を書き込むことを特徴とする請求項１ないし請求項２に記載のカード取扱装置。
【請求項５】
前記磁気読み書き部は、
前記磁気ストライプに書き込む前記所定の情報として、上位装置から得た情報を書き込むことを特徴とする請求項１ないし請求項２に記載のカード取扱装置。
【請求項６】
磁気ストライプとＩＣチップを備えた磁気ＩＣ複合カードであって、
前記ＩＣチップは記憶領域を有し、
前記記憶領域の所定の領域には、前記磁気ストライプの磁気保磁力に関する保磁力情報が書き込まれていることを特徴とする磁気ＩＣ複合カード。
【請求項７】
前記記憶領域の前記所定の領域の他の領域には、前記磁気ストライプに書き込むべき情報が書き込まれていることを特徴と請求項６に記載の磁気ＩＣ複合カード。
【請求項８】
請求項１ないし請求項５に記載のカード取扱装置を搭載した自動取引装置。
【請求項９】
磁気ストライプとＩＣチップを備えたカードを取り扱うカード取扱方法であって、
前記ＩＣチップの記憶領域の所定の領域に予め書き込まれた前記磁気ストライプの磁気保磁力に関する保磁力情報を読み取る保磁力情報読み取りステップと、
前記保磁力情報読み取りステップで読み取られた前記保磁力情報を判定する保磁力情報判定ステップと、
前記保磁力情報判定ステップで判定された判定結果に応じた保持力用の書き込み電流にて前記磁気ストライプに所定の情報を書き込む情報書き込みステップと、
を有することを特徴とするカード取扱方法。
【請求項１０】
前記保磁力情報読み取りステップにおいて、
前記磁気ストライプの前記磁気保磁力に関する前記保磁力情報として、第１の磁気保磁力に関する第１の保磁力情報と、前記第１の磁気保磁力より低い第２の磁気保磁力に関する第２の保磁力情報を読み取り、
前記保磁力情報判定ステップにおいて、
読み取られた前記保磁力情報が、前記第１の保磁力情報か前記第２の保磁力情報かを判定し、
前記情報書き込みステップにおいて、
前記保磁力情報判定ステップで判定された判定結果が前記第１の保磁力情報の場合には、第１の保持力用の書き込み電流にて前記磁気ストライプに前記所定の情報を書き込み、
前記保磁力情報判定ステップで判定された判定結果が前記第２の保磁力情報の場合には、前記第１の保持力用の書き込み電流より低い第２の保持力用の書き込み電流にて前記磁気ストライプに前記所定の情報を書き込むことを特徴とする請求項９に記載のカード取扱方法。
【発明の詳細な説明】
【技術分野】
【０００１】
本発明は、カード取扱装置、カード取扱方法及び磁気ＩＣ複合カードに関する。
【背景技術】
【０００２】
自動取引装置（ＡＴＭ）で磁気カードを用いて現金の取引を行う場合、利用者が操作案内表示に従って磁気カードを挿入口に入れ、キーボードもしくはタッチパネルより入力された暗証番号をチェックする。そして、本人であることを確認した後、現金の預け入れ、払い出し、振り込み等の取引を行っている。
【０００３】
通常使用される磁気カードは、その表面に磁気ストライプを備え、そこに金融機関用の情報が書き込まれている。また、金融機関がクレジット会社と提携している場合には、磁気カードの裏面にある磁気ストライプにクレジット用の情報が書き込まれている。
【０００４】
また、最近は磁気ストライプに加えてＩＣチップを備えた磁気ＩＣ複合カードも出回っている。磁気ＩＣ複合カードが自動取引装置で使用された場合、まず磁気ストライプを読み取り、カードがＩＣチップを備えていると分かった場合、よりセキュリティ性の高いＩＣチップでの処理に移行して取引を行うなどしている。
【０００５】
従来、特におもて面の磁気ストライプは保磁力が低保磁力５２ｋＡ／ｍ（６５０Ｏｅ）のカード一種類だったが、最近、消磁の問題が多くなり、この対策のために高保磁力２１９ｋＡ／ｍ（２７５０Ｏｅ）のカードが流通し始めている。
【０００６】
このような状況から、異なる保磁力を持った磁気ＩＣ複合カードが自動取引装置で混在して使用される事態になっている。このような場合、自動取引装置では磁気ストライプの情報を読み取る時には影響ないが、情報を磁気ストライプに書き込む時には、それぞれの保磁力に適した磁界の強さで書き込む必要がある。ここで、磁界の強さは、書き込み電流に比例していて相関がある。磁界の強さを論じても扱い難いため、以降扱いやすい書き込み電流について記述する。
【０００７】
このため高保磁力のストライプに対して、低保磁力用の書き込み電流で書き込みを行うと、電流が弱すぎるために磁気ストライプの情報を上書きすることができないか、または中途半端に上書きして情報を破壊してしまう。
【０００８】
また、低保磁力のストライプに対して高保磁力ストライプ用の書き込み電流で書き込みを行うと、電流が強すぎるために疑似ピークが発生してしまう恐れがあり、書き込み情報が異常となってしまう場合がある。磁気情報書き込みに関して、おもて面に限らず裏面の磁気ストライプも異なる保磁力が混在するという同様の問題を抱えている。
【０００９】
このような問題を解決するために、保磁力を測定できる機器を付加し、書き込みをする際に、自動取引装置に取り込まれた磁気カードの保磁力を測定し、その磁気カードが低保磁力か高保磁力かを判定した後、最適な書込み電流で情報の書き込みを行う方式がある。
【００１０】
また、自動取引装置に一旦取り込まれた磁気カードに対して低保磁力用の電流で書き込み、書き込んだ情報をチェックし、情報が書き変わっていない場合は高保磁力用の電流で再度書き込むという複数回書き込む方式がある。
【００１１】
また、特許文献１では、磁気媒体の所定の領域に予め書き込まれた磁気媒体の磁気保磁力に関する保磁力情報を読み取り、主制御部は読み取られた保磁力情報を判定し、磁気媒体読み取り／書き込み部は、主制御部で判定された結果に従って、所定の電流にて磁気媒体に情報の書き込みを行っている。
【００１２】
また、特許文献２では、通帳の磁気媒体の保磁力判定のために、通帳の内部のバーコードから磁性体の保磁力情報を読み取る方法が考案されている。
【００１３】
また、磁気ＩＣ複合カードの場合、磁気が正しく読めなかったら、磁気の処理をスキップして、ＩＣでの処理に移行する方法も取られている。
【先行技術文献】
【特許文献】
【００１４】
【特許文献１】特開２００６−１１５８２号公報
【特許文献２】特開２０１３−２４２８２９号公報
【発明の概要】
【発明が解決しようとする課題】
【００１５】
磁気の書き込みが可能な磁気ＩＣカード取扱装置を搭載した自動取引装置に、磁気ストライプが消磁によって正しく読めない磁気ＩＣ複合カードが使用された場合、磁気情報を書き直しすればカードの磁気情報は再び読むことが可能になる。ただし、磁気情報を書き込むためには、事前に書き込む磁気ストライプの保磁力を知る必要がある。
【００１６】
上述のように、自動取引装置に磁気カードの磁気ストライプの保磁力を測定する機能を追加する方式では、高価格な磁気測定機器を搭載しなければならなくなる。
【００１７】
また、磁気情報を複数回書き込みする方式の場合には、書き込みと確認を複数回行うため時間がかかり、現金の取引処理時間が長くなる。また磁気ヘッドの寿命も短くなるという問題が生じる。
【００１８】
また、特許文献１の方法は、磁気ストライプが正しく読み取りできることが必須となる。消磁した磁気ストライプの情報の場合、磁気情報を正しく読み取ることができないので、特許文献１の方法を使用することができない。
【００１９】
また、通常、カード表面はカード発行者のデザインが優先されるため、特許文献２の通帳の内部のバーコードのような保磁力を示すマークを表示できないという問題がある。またマークを表示できたとしてもマークを読み取るための機器を搭載しなければならなくなる。
【００２０】
また、磁気の処理をスキップして、ＩＣでの処理に移行する方法は、その時は自動取引装置での処理を行うことができるので有効だが、後日、磁気の処理しか対応していない別の自動取引装置を利用することができないという問題がある。
【００２１】
本発明の目的は、保磁力の異なる磁気カードが混在して扱われる自動取引装置において、安価な構成で異なる保磁力に適した電流で情報の書き込みを行うことにある。
【課題を解決するための手段】
【００２２】
本発明の一態様のカード取扱装置は、磁気ストライプとＩＣチップを備えたカードを取り扱うカード取扱装置であって、前記磁気ストライプの読み取りと書込みを行う磁気読み書き部と、前記ＩＣチップの読取りと書込みを行うＩＣ読み書き部と、前記磁気読み書き部と前記ＩＣ読み書き部の制御を行う制御部とを有し、前記ＩＣ読み書き部は、前記ＩＣチップの記憶領域の所定の領域に予め書き込まれた前記磁気ストライプの磁気保磁力に関する保磁力情報を読み取り、前記制御部は、読み取られた前記保磁力情報を判定し、前記磁気読み書き部は、前記制御部で判定された判定結果に応じた保持力用の書き込み電流にて前記磁気ストライに所定の情報を書き込むことを特徴とする。
【００２３】
本発明の一態様の磁気ＩＣ複合カードは、磁気ストライプとＩＣチップを備えた磁気ＩＣ複合カードであって、前記ＩＣチップは記憶領域を有し、前記記憶領域の所定の領域には、前記磁気ストライプの磁気保磁力に関する保磁力情報が書き込まれていることを特徴とする。
【００２４】
本発明の一態様のカード取扱方法は、磁気ストライプとＩＣチップを備えたカードを取り扱うカード取扱方法であって、前記ＩＣチップの記憶領域の所定の領域に予め書き込まれた前記磁気ストライプの磁気保磁力に関する保磁力情報を読み取る保磁力情報読み取りステップと、前記保磁力情報読み取りステップで読み取られた前記保磁力情報を判定する保磁力情報判定ステップと、前記保磁力情報判定ステップで判定された判定結果に応じた保持力用の書き込み電流にて前記磁気ストライプに所定の情報を書き込む情報書き込みステップと、を有することを特徴とする。
【発明の効果】
【００２５】
本発明の一態様によれば、保磁力の異なる磁気ＩＣ複合カードが混在して扱われる自動取引装置において、安価な構成で異なる保磁力に適した電流で磁気情報の書き込みを行うことができる。
【図面の簡単な説明】
【００２６】
【図１】自動取引装置と磁気ＩＣカード取扱装置の構成を示す図である。
【図２】磁気ＩＣカード取扱装置の構成を示す図である。
【図３】磁気ＩＣ複合カードのおもて面を示す図である。
【図４】磁気ストライプが裏面にある磁気カードの裏面を示す図である。
【図５】一般的な磁気カードを用いた磁気情報による取引の動作を説明するためのフローチャートである。
【図６】一般的な磁気ストライプとＩＣを備えた磁気ＩＣ複合カードを用いた磁気情報による取引の動作を説明するためのフローチャートである。
【図７】実施例のＩＣから保磁力情報を読み出して書き込みを行う動作を示すフローチャートである。
【図８】実施例のカードの書き込み動作を示すフローチャートである。
【図９】実施例の他のカードの書き込み動作を示すフローチャートである。
【発明を実施するための形態】
【００２７】
以下、図面を用いて、実施例について説明する。
【実施例】
【００２８】
カード取扱装置１００は、制御部１１０と、制御部１１０に接続された上位インタフェース１２０、メモリ１３０、カード搬送部１４０、カード位置センサ１５０、磁気読み書き部１６０及びＩＣ読み書き部１７０を有する。制御部１１０は、磁気読み書き部１６０を制御する磁気制御部１１１とＩＣ読み書き部１７０を制御するＩＣ制御部１１２を有する。カード取扱装置１００は、自動取引装置１０００に内蔵されている。
【００２９】
図２に示すように、カード２００は複数のローラー２３０を介してカード取込み方向（図２の矢印の方向）に搬送される。そして、カード２００は搬送中に複数のセンサ２２０で検知されながら磁気読み書き部１６０及びＩＣ読み書き部１７０を通過する。
【００３０】
磁気読み書き部１６０は、カード入出口２１０から挿入されたカード２００に書き込まれた磁気情報の読み取り及び磁気情報の書き込みを行う。磁気情報の読み書きが行われたカード２００はカード入出口２１０へ放出される。
【００３１】
次に、図３を参照して、カードの磁気ストライプの情報及びＩＣチップ（ＩＣ）の情報の構成について説明する。
カード３００は、おもて面に磁気ストライプ３０１とＩＣ３０２を有する磁気ＩＣ複合カードである。
【００３２】
磁気ストライプ３０１の情報は、読み取り順に、タイミング信号３０１１、始め符号３０１２、データ３０１３、終り符号３０１４、水平冗長検査文字３０１５（以後、ＬＲＣと称す）及びタイミング信号３０１６で構成される。
【００３３】
データ３０１３には金融機関の情報、例えば利用者の口座番号等を含む情報が書込まれている。ＩＣ３０２のＩＣ記憶領域３０２２には、保磁力情報３０２１が記憶されている。保磁力情報３０２１は、磁気ストライプ３０１が低保磁力又は高保磁力であるかを判別するための保磁力情報を記憶する。例えば、保磁力情報３０２１が「０」ならば、低保磁力を示す。保磁力情報３０２１が「１」ならば、高保磁力を示す。ＩＣ読み書き部１７０で、カードのＩＣ記憶領域３０２２の保磁力情報３０２１を読み取った際に、ＩＣ制御部１１２で取り込まれたカード３００が低保磁力なのか高保磁力なのかを判断する。
【００３４】
このように、ＩＣ３０２は記憶領域３０２２を有し、記憶領域３０２２の所定の領域には、磁気ストライプ３０１の磁気保磁力に関する保磁力情報３０２２が書き込まれている。また、記憶領域３０２２の所定の領域の他の領域には、磁気ストライプ３０１に書込むべき情報が書き込まれている。
【００３５】
図４を参照して、裏面に磁気ストライプ４０１を有するカード４００の構成について説明する。カード４００は、磁気ストライプ４０１が裏面にも存在するタイプである。金融機関がクレジット会社と提携している場合には、カード４００の裏面にある磁気ストライプ４０１にクレジット用の情報が書込まれている。
【００３６】
実施例によれば、ＩＣ３０２のＩＣ記憶領域３０２２に保磁力情報３０２１を記憶しているので、消磁した磁気ストライプの場合のように、磁気ストライプ３０１の磁気情報を正しく読み取ることができない場合でも、取り込まれたカード３００が低保磁力なのか高保磁力なのかを判断することができる。
【００３７】
以下、図５、図６を用いて、例えば、消磁した磁気ストライプ３０１の場合のように、磁気ストライプ３０１の磁気情報を正しく読み取ることができない場合の問題点について説明する。
【００３８】
図５のフローチャートを参照して、一般的な磁気カードを用いた磁気情報による取引の動作を説明する。
まず、利用者は、磁気カードを磁気カード入出口に挿入してカード取引を開始する（Ｓ５０１）。
【００３９】
次に、磁気カードが取り込まれると（Ｓ５０２）、磁気カードに書き込まれている磁気情報の読み取りを行う（Ｓ５０３）。
【００４０】
次に、磁気情報の読み取りＯＫかどうかを判定する（Ｓ５０４）。読み取りＯＫならば、個人認証を行う（Ｓ５０５）。例えば、操作パネルから利用者に暗証番号を入力させる。
【００４１】
入力された暗証番号が正しい場合には、預け入れ、払い出し、振り込みなどの処理が行われる（Ｓ５０６）。
【００４２】
磁気情報の読み取りＯＫかどうかを判定し（Ｓ５０４）、読み取りＯＫでなければ、読み取りエラー（Ｓ５０９）となり取引は中止する（Ｓ５１０）。
【００４３】
次に、磁気カードに所定の磁気情報を書き込み（Ｓ５０７）、カードを返却して（Ｓ５０８）、カード取引は終了する（Ｓ５１１）。
【００４４】
上述のように、一般的な磁気カードを用いた磁気情報による取引においては、Ｓ５０４で読み取りＯＫでなければ、読み取りエラー（Ｓ５０９）となり取引は中止する（Ｓ５１０）。そして、取引を中止した状態で、磁気カードに所定の磁気情報を書き込む（Ｓ５０７）。例えば、消磁した磁気ストライプの場合のように、磁気ストライプの磁気情報を正しく読み取ることができない場合は、一旦取引を中止した状態で、磁気カードに所定の磁気情報を書き込む必要がある。
【００４５】
図６のフローチャートを参照して、一般的な磁気ストライプとＩＣを備えた磁気ＩＣ複合カードを用いた磁気情報による取引の動作を説明する。
まず、利用者は、カードをカード入出口に挿入してカード取引を開始する（Ｓ６０１）。
【００４６】
次に、カードが取り込まれると（Ｓ６０２）、カードの磁気ストライプに書き込まれている磁気情報が読み取られる（Ｓ６０３）。
【００４７】
次に、磁気情報の読み取りＯＫかどうかを判定する（Ｓ６０４）。読み取りＯＫならば、ＩＣカードかを判定する（Ｓ６０５）。
【００４８】
ＩＣカードならば、ＩＣに記憶されたＩＣ情報を読み取り（Ｓ６０６）、個人認証を行う（Ｓ６０７）。例えば、操作パネルから利用者に暗証番号を入力させる。
【００４９】
入力された暗証番号が正しい場合には、預け入れ、払い出し、振り込みなどの処理が行われる（Ｓ６０８）。
【００５０】
磁気情報の読み取りＯＫかどうかを判定し（Ｓ６０４）、読み取りＯＫでなければ、読み取りエラー（Ｓ６１１）となり取引は中止する（Ｓ６１２）。
【００５１】
次に、カードの磁気ストライプに所定の磁気情報を書き込み（Ｓ６０９）、カードを返却して（Ｓ６１０）、カード取引は終了する（Ｓ６１３）。
【００５２】
上述のように、一般的な磁気ＩＣ複合カードを用いた磁気情報による取引においては、Ｓ６０４で読み取りＯＫでなければ、読み取りエラー（Ｓ６１１）となり取引は中止する（Ｓ６１２）。そして、取引を中止した状態で、磁気ＩＣ複合カードの磁気ストライプに所定の磁気情報を書き込む必要がある（Ｓ６０９）。例えば、消磁した磁気ストライプの場合のように、磁気ストライプの磁気情報を正しく読み取ることができない場合は、一旦取引を中止した状態で、磁気ＩＣ複合カードに所定の磁気情報を書き込む必要がある。
【００５３】
次に、図７のフローチャートを参照して、実施例のＩＣから保磁力情報を読み出し書き込みを行う取引動作を説明する。
まず、利用者は、カード３００（図３参照）をカード入出口２１０（図２参照）に挿入してカード取引を開始する（Ｓ７０１）。
【００５４】
次に、カード３００が取り込まれると（Ｓ７０２）、カードの磁気ストライプ３０１に書き込まれている磁気情報が磁気読み書き部１６０で読み取られる（Ｓ７０３）。
【００５５】
次に、読み取りＯＫかどうかを判定する（Ｓ７０４）。判定の結果、読み取りＯＫならば、ＩＣ情報を読み取る（Ｓ７０５）。
【００５６】
磁気情報の読み取りＯＫかどうかを判定し（Ｓ７０４）、読み取りＯＫでなければ、読み取りエラーと（Ｓ７１０）なるがスキップして、ＩＣ情報を読み取る（Ｓ７０５）。
【００５７】
ＩＣに記憶されたＩＣ情報を読み取った後（Ｓ７０５）、ＩＣ情報を元にして個人認証を行う（Ｓ７０６）。例えば、操作パネルから利用者に暗証番号を入力させる。
【００５８】
入力された暗証番号が正しい場合には、預け入れ、払い出し、振り込みなどの処理が行われる（Ｓ７０７）。
【００５９】
次に、カード３００の磁気ストライプ３０１に所定の磁気情報を書き込み（Ｓ７０８）、カード３００を返却して（Ｓ７０９）、カード取引は終了する（Ｓ７１１）。
【００６０】
ここで、例えば、磁気読み書き部１６０は、磁気ストライプ３０１に書込む所定の磁気情報として、ＩＣ３０２の記憶領域３０２２に書き込まれた情報を書き込む。あるいは、磁気読み書き部１６０は、磁気ストライプ３０１に書き込む所定の磁気情報として、上位装置（自動取引装置１０００）から得た情報を書き込むようにしても良い。
【００６１】
上述のように、実施例のＩＣから保磁力情報を読み出し書き込みを行う取引においては、消磁した磁気ストライプの場合のように、磁気ストライプの磁気情報を正しく読み取ることができない場合でも、取引を中止させないで、磁気ＩＣ複合カードに所定の磁気情報を書き込むことができる。
【００６２】
次に、図８のフローチャートを参照して、実施例の磁気ストライプとＩＣを備えた磁気ＩＣ複合カードの磁気書き込み動作（Ｓ８００）について説明する。
【００６３】
最初に、ＩＣ３０２から読み出した保磁力情報３０２１を制御部１１０にセットする（Ｓ８０１）。
【００６４】
次に、保磁力情報３０２１に基づいて保磁力を判定する（Ｓ８０２）。判定の結果、高保磁力ならば、高保磁力用の書き込み電流である高保磁力電流に設定する（Ｓ８０３）。判定の結果、低保磁力ならば、低保磁力用の書き込み電流である低保磁力電流に設定する（Ｓ８０４）。
【００６５】
次に、Ｓ８０３及びＳ８０４で設定された電流値にてカード３００の磁気ストライプ３０１に所定の磁気情報を書き込む（Ｓ８０５）。その後、カード返却動作（図７のＳ７０９）に戻る（Ｓ８０６）。
【００６６】
次に、図９のフローチャートを参照して、実施例の磁気ストライプとＩＣを備えた磁気ＩＣ複合カードの他の磁気書き込み動作（Ｓ９００）について説明する。
最初に、ＩＣ３０２から読み出した保磁力情報３０２１を制御部１１０にセットする（Ｓ９０１）。
【００６７】
次に、保磁力情報３０２１に基づいて所定の保磁力用の書き込み電流である保磁力電流に設定する（Ｓ９０２）。
【００６８】
次に、設定された電流値にてカードの磁気ストライプ３０１に所定の磁気情報を書き込む（Ｓ９０３）。その後、カード返却動作（図７のＳ７０９）に戻る（Ｓ９０４）。
【００６９】
尚、制御部１１０は、保磁力情報３０２１に基づいてカードが対象外の磁気ストライプを備えるカードかを判定し、磁気読み書き部１６０は、制御部１１０で対象外の磁気ストライプを備えるカードと判定した場合には、磁気ストライプ３０１に所定の情報を書き込まないようにしても良い。
【００７０】
上記実施例では、保磁力の異なる磁気カードが混在して扱われる自動取引装置において、ＩＣに予め書き込まれた保磁力情報に従って、保磁力に適した電流で情報の書き込みを行う。これにより、磁気測定器機器など新しい装置を追加することなく比較的安価な構成で情報を書き込むことができる。
【００７１】
また、磁気ストライプを読むことが全くできない消磁した磁気カードであっても、その磁気ストライプの磁性体の保磁力に適した所定の電流値にて磁気情報を書き込むことができる。
【００７２】
また、誤った電流値で磁気書き込みを行うことがなくなり、磁気情報の破壊を防ぐことができる。カードの表面には保磁力に関する情報を何も書かなくて良いので、カードは自由にデザインを定めることができる。
【００７３】
また、磁気ストライプが消磁によって読むことができず、磁気の処理をスキップして、ＩＣでの処理に移行していた磁気ＩＣ複合カードにおいて、磁気ストライプを適切な電流値で書き込むことで再び使えるように再生できる。この結果、磁気での処理しか対応していない別の自動取引装置でも再び利用できるようになる。
【００７４】
ここで、（表１）に示すように、市場には磁気カードに対して２つのタイプのカード取扱装置があり、それぞれの対応する磁気カードの種類は次の通りである。現在のところ磁気カードの保磁力が混在しない状況でしか、適切な書き込みを行うことはできない。
【００７５】
[表１]
2020181460.tif 000003
【００７６】
磁気ＩＣ複合カードにおいて実施例の方式を使用することで、タイプＡのカード処理装置の場合、低保磁力のカードへの書き込みが可能である。また、高保磁力のカードに対しては書き込みを避けることができる。タイプＢのカード処理装置の場合、低保磁力カードは低保磁力用の電流値にて書き込み、高保磁力カードには高保磁力用の電流値にて書き込みを行うことができる。
【符号の説明】
【００７７】
１０００  自動取引装置
１００  カード取扱装置
１１０  制御部
１１１  磁気制御部
１１２  ＩＣ制御部
１２０  上位インタフェース
１３０  メモリ
１４０  カード搬送部
１５０  カード位置センサ
１６０  磁気読み書き部
１７０  ＩＣ読み書き部
２００  カード
３０１  磁気ストライプ
３０２  ＩＣ
３０２２  ＩＣの記憶領域
３０２１  保磁力情報
４００  磁気ストライプが裏面にあるカード
４０１  磁気ストライプ
【図１】
2020181460.tif 000004
【図２】
2020181460.tif 000005
【図３】
2020181460.tif 000006
【図４】
2020181460.tif 000007
【図５】
2020181460.tif 000008
【図６】
2020181460.tif 000009
【図７】
2020181460.tif 000010
【図８】
2020181460.tif 000011
【図９】
2020181460.tif 000012